(57)【要約】  本発明は、補助洗濯装置及びこれを用いた衣類処理装置に関し、洗濯物を処理する主洗濯装置と、前記主洗濯装置の一端に位置する補助洗濯装置とを含む衣類処理装置であって、補助洗濯装置は、収納空間を形成するフレームと、前記収納空間に収納され、洗濯水が貯蔵される空間を形成するドロワーと、前記ドロワーの内側に位置し、前記ドロワーを貫通する回転軸を備えて洗濯物を処理する回転部と、前記ドロワーの下部に設けられて前記回転部を回転させるモータと、前記ドロワーの前方に位置し、前記補助洗濯装置の前面の外形を形成する前方パネルとを含む。【選択図】図６
2016508063.tif 000002
【特許請求の範囲】
【請求項１】
収納空間を形成するキャビネットと、前記キャビネットに引き出し可能に設けられる洗濯部と、前記洗濯部の前方に位置し、前面の外形を形成する前方パネルとを含む補助洗濯装置であって、
前記洗濯部は、
前記キャビネットの前記収納空間に収納され、洗濯水が貯蔵される空間を形成するドロワーと、
前記ドロワーの内側に位置し、前記ドロワーを貫通する回転軸を備えて洗濯物を処理する回転部と、
前記ドロワーの下部に設けられて前記回転部を回転させるモータとを備えることを特徴とする補助洗濯装置。
【請求項２】
前記ドロワーは、前記キャビネットの前記収納空間に対応するドロワーボディー部と、前記ドロワーボディー部の内部に位置し、洗濯水が貯蔵されるタブ部とからなる、請求項１に記載の補助洗濯装置。
【請求項３】
前記ドロワーボディー部は、前記収納空間に対応する直方体状に形成され、前記タブ部は円筒状に形成される、請求項２に記載の補助洗濯装置。
【請求項４】
前記タブ部の外周面は、前記ドロワーボディー部の内面に接する、請求項３に記載の補助洗濯装置。
【請求項５】
前記タブ部の外周面と、前記ドロワーボディー部の垂直角部との間にドロワー空間部が形成される、請求項３に記載の補助洗濯装置。
【請求項６】
前記ドロワー空間部は、前記タブ部に貯蔵される洗濯水を排水するための排水領域を有する、請求項５に記載の補助洗濯装置。
【請求項７】
前記ドロワー空間部に、前記補助洗濯装置を制御するための制御部が備えられる、請求項５に記載の補助洗濯装置。
【請求項８】
前記ドロワーボディー部と前記タブ部とは一体的に形成される、請求項２に記載の補助洗濯装置。
【請求項９】
前記タブ部は、
前記タブ部の下面を形成し、中央部に貫通口が形成されるリング状の底部と、
前記貫通口に対して所定間隔離隔し、前記回転軸が貫通する遊動部と、
前記底部と前記遊動部との間をシールすると共に、前記遊動部を遊動可能にする遊動ガスケットとを備える、請求項２に記載の補助洗濯装置。
【請求項１０】
前記底部に、前記タブ部に貯蔵される洗濯水を排水するための、前記底部において陥入する排水サンプが備えられる、請求項９に記載の補助洗濯装置。
【請求項１１】
前記底部は、前記排水サンプ側に傾斜して形成される、請求項１０に記載の補助洗濯装置。
【請求項１２】
前記排水サンプに、前記タブ部に貯蔵される洗濯水を加熱するためのヒーターが備えられる、請求項１０に記載の補助洗濯装置。
【請求項１３】
前記遊動部の下部に、前記遊動部と結合して前記回転軸を回転可能に支持するベアリングハウジングが備えられる、請求項９に記載の補助洗濯装置。
【請求項１４】
前記ベアリングハウジングは、前記ドロワーに対して前記回転軸を振動の観点で分離する、請求項１３に記載の補助洗濯装置。
【請求項１５】
前記ベアリングハウジングは、前記ドロワーに保持されて前記回転軸を支持する、請求項１３に記載の補助洗濯装置。
【請求項１６】
前記ベアリングハウジングは、前記ベアリングハウジングの半径方向に延びる３つ以上のブラケット締結部を備え、
前記ドロワーボディー部は、前記ブラケット締結部に対応する位置に３つ以上の保持部を備え、
前記各ブラケット締結部と前記各保持部との間に、前記ベアリングハウジングを浮遊状態で支持するサスペンションアセンブリが備えられる、請求項２に記載の補助洗濯装置。
【請求項１７】
前記サスペンションアセンブリは、前記ブラケット締結部に結合されるブラケットと、前記保持部に回動可能に保持される上部及び前記ブラケットに回動可能に保持される下部を有する支持バーとを備える、請求項１６に記載の補助洗濯装置。
【請求項１８】
前記保持部は、前記ドロワーボディー部の前方に位置する第１保持部と、前記ドロワーボディー部の後方の内部の両側に位置する第２保持部及び第３保持部を備える、請求項１６に記載の補助洗濯装置。
【請求項１９】
前記ドロワーの両側面に、前記ドロワーの垂直荷重及び垂直振動を制限し、前記キャビネットに対して前記ドロワーの引き込み及び引き出しを案内する側面レールユニットを備える、請求項１に記載の補助洗濯装置。
【請求項２０】
前記ドロワーの下面に、前記ドロワーの水平振動を制限し、前記キャビネットに対して前記ドロワーの引き込み及び引き出しを案内する下部レールユニットを更に備える、請求項１９に記載の補助洗濯装置。
【請求項２１】
前記キャビネットと前記ドロワーとの間に伸縮可能に設けられ、前記タブ部の給水及び排水を行う給排水部を備える、請求項１に記載の補助洗濯装置。
【請求項２２】
前記給排水部は、
一端が前記キャビネットの後面に回動可能に結合される第１リンクと、
一端が前記ドロワーの後面に回動可能に結合され、他端が前記第１リンクに回動可能に結合される第２リンクと、
前記第１リンク及び前記第２リンクの内部に挿入されるフレキシブル給排水管とを含む、請求項２１に記載の補助洗濯装置。
【請求項２３】
前記回転部は、前記タブ部の内側に回転可能に備えられる回転タブである、請求項２に記載の補助洗濯装置。
【請求項２４】
前記回転部は、前記タブ部の内側下面に回転可能に備えられるパルセータである、請求項２に記載の補助洗濯装置。
【請求項２５】
前記回転部は、前記タブ部に対して振動の観点で分離されて支持される、請求項１に記載の補助洗濯装置。
【請求項２６】
洗濯物を処理する主洗濯装置と、前記主洗濯装置の一端に位置する補助洗濯装置とを含む衣類処理装置であって、
前記補助洗濯装置は、
収納空間を形成するフレームと、
前記収納空間に収納され、洗濯水が貯蔵される空間を形成するドロワーと、
前記ドロワーの内側に位置し、前記ドロワーを貫通する回転軸を備えて洗濯物を処理する回転部と、
前記ドロワーの下部に設けられて前記回転部を回転させるモータと、
前記ドロワーの前方に位置し、前記補助洗濯装置の前面の外形を形成する前方パネルとを含むことを特徴とする、衣類処理装置。
【請求項２７】
前記主洗濯装置と前記補助洗濯装置とは、一つの空間を形成し、前記主洗濯装置の設置空間と前記補助洗濯装置の設置空間とを区画する隔壁を含む単一のキャビネットに設置される、請求項２６に記載の衣類処理装置。
【請求項２８】
前記主洗濯装置は、外形を形成する第１キャビネットを備え、
前記補助洗濯装置は、外形を形成すると共に、前記第１キャビネットを支持する第２キャビネットを備える、請求項２６に記載の衣類処理装置。
【発明の詳細な説明】
【技術分野】
【０００１】
本発明は、衣類処理装置に関し、より詳細には、主洗濯装置に追加的に備えられる洗濯物を処理するための補助洗濯装置、及びこれを用いた衣類処理装置に関する。
【背景技術】
【０００２】
一般に、衣類処理装置は、洗濯物を洗剤と機械的摩擦とを用いて洗濯する装置である。
【０００３】
一般的な衣類処理装置は、通常、床に直接設置される。しかし、衣類処理装置の中で洗濯物を前方から投入するフロントローディング方式（いわゆる「ドラム式洗濯機」）の衣類処理装置の場合、洗濯物を投入するための投入口が比較的低く形成されている。したがって、使用者が洗濯物を投入し又は取り出すためには、腰を曲げなければならない不便さがあった。
【０００４】
このような不便さを解消するために、フロントローディング方式の衣類処理装置の下部に受け台を追加して、衣類処理装置の実質的な設置位置を上昇させる受け台が開発された。これに加えて、受け台を単純に受け台の用途のみに利用せずに、受け台に追加的に補助洗濯装置を設置して少量の洗濯物を洗濯できるようにする技術が開発された。
【０００５】
以下、添付の図面を参照して、従来技術による衣類処理装置について簡単に説明する。
【０００６】
図１に示すように、従来技術による衣類処理装置１０は、主洗濯装置２０の下部に一体又は分離可能に設置される補助洗濯装置３０を備える。ここで、主洗濯装置２０は、一般的に、洗濯物を前方から投入するフロントローディング方式（いわゆる「ドラム式洗濯機」）で構成され、補助洗濯装置３０は、ドロワーの形態で引き出し、洗濯物を上部から投入するトップローディング方式（いわるゆ「縦型洗濯機」）で設けられる。
【０００７】
一方、主洗濯装置２０は、外形を形成し、洗濯物を投入するためのドア２２を備えるキャビネット２１と、キャビネット２１の内部に備えられ、洗濯水が貯蔵されるタブ２３と、タブ２３の内部に回転可能に設けられ、投入される洗濯物が収納されて洗濯されるドラム２４と、タブ２３の外側に設けられ、回転軸に連結されたドラム２４を回転させるモータ２５と、タブ２３に洗濯水を供給するための給水部２６と、洗濯を完了した洗濯水を排水するための排水部２７等を備える。
【０００８】
そして、補助洗濯装置３０は、主洗濯装置２０の下部に主洗濯装置２０に対応する形状に形成されるキャビネット３１と、キャビネット３１から前方に引き出されるドロワー３２と、ドロワー３２から分離され、洗濯水が貯蔵されるタブ３３と、タブ３３の内側に設けられ、洗濯物を洗濯する回転タブ３５と、タブ３３の下部に固定されて回転タブ３５を回転させるモータ３６とを備える。追加的に、回転タブ３５の回転によって発生する振動がタブ３３を介してドロワー３２に伝達されることを防止するために、タブ３３を弾性支持する多数のダンパーが設けられる。
【０００９】
このような補助洗濯装置３０は、主洗濯装置２０の上部又は下部に設けられてもよく、様々な付加的な機能を使用者に提供する。また、補助洗濯装置３０は、主洗濯装置２０と一体的に形成されるか、又は独立した装置として設けられてもよい。
【００１０】
一方、上述した従来技術による補助洗濯装置３０の主な目的の一つは、主洗濯装置２０の下部に位置して、主洗濯装置２０の設置位置を上昇させることである。また、補助洗濯装置３０は、使用者が少量の洗濯物を洗濯できるように、主洗濯装置２０に比べて小さな容量で構成されることが一般的であり、補助洗濯装置３０の洗濯容量は、主洗濯装置２０の寸法によって制限される。
【００１１】
したがって、補助洗濯装置３０は、主洗濯装置２０の寸法によって制限される比較的小さい寸法を有しており、構造的に洗濯容量を増大させるのは困難である。
【００１２】
また、上述した補助洗濯装置３０では、必ずタブ３３とドロワー３２とが分離された状態が維持されなければならない。すなわち、回転タブ３４の回転により発生する振動がタブ３３に伝達されてタブ３３が振動し、タブ３３の振動がドロワー３２に伝達される構造である。
【００１３】
したがって、タブ３３とドロワー３２との間には、ドロワー３２に対してタブ３３が振動及び遊動できるように、空間的な余裕を形成しなければならない。また、回転タブ３５の振動がタブ３３を介してドロワー３２に伝達されることを防止するために、ドロワー３２とタブ３３との間でタブ３３を支持すると共に、タブ３３の振動を緩衝するダンパーが必ず備えられなければならない。
【００１４】
上述したように、ドロワー３２に対してタブ３３が振動及び遊動できるようにする空間的な余裕、及びタブ３３の振動を緩衝するダンパーは、ドロワーの内部空間を使用するので、相対的に補助洗濯装置３０のタブ３３の容量が小さくならざるを得ず、補助洗濯装置３０の構造的な限界によって、洗濯容量を増大させることが難しいという問題がある。
【発明の概要】
【発明が解決しようとする課題】
【００１５】
本発明は、上記問題点を解決するために考案されたもので、補助洗濯装置の洗濯容量を増大させるために、新たな構造の補助洗濯装置及びこれを用いた衣類処理装置を提供することを目的とする。
【００１６】
また、本発明は、振動及び騒音を減少させることが可能な補助洗濯装置及びこれを用いた衣類処理装置を提供することを目的とする。
【００１７】
また、本発明は、狭小な内部空間に内部構成物を容易に設置できるようにした補助洗濯装置及びこれを用いた衣類処理装置を提供することを目的とする。
【課題を解決するための手段】
【００１８】
上記目的を達成するための本発明の一実施例に係る補助洗濯装置は、収納空間を形成するキャビネットと、前記キャビネットに引き出し可能に設けられる洗濯部と、前記洗濯部の前方に位置し、前面の外形を形成する前方パネルとを含む補助洗濯装置であって、前記洗濯部は、前記キャビネットの前記収納空間に収納され、洗濯水が貯蔵される空間を形成するドロワーと、前記ドロワーの内側に位置し、前記ドロワーを貫通する回転軸を備えて洗濯物を処理する回転部と、前記ドロワーの下部に設けられて前記回転部を回転させるモータとを備えることが好ましい。
【００１９】
前記ドロワーは、前記キャビネットの前記収納空間に対応するドロワーボディー部と、前記ドロワーボディー部の内部に位置し、洗濯水が貯蔵されるタブ部とからなることが好ましい。
【００２０】
前記ドロワーボディー部は、前記収納空間に対応する直方体状に形成され、前記タブ部は円筒状に形成されることが好ましい。
【００２１】
前記タブ部の外周面は、前記ドロワーボディー部の内面に接することが好ましい。
【００２２】
前記タブ部の外周面と、前記ドロワーボディー部の垂直角部との間にドロワー空間部が形成されることが好ましい。
【００２３】
前記ドロワー空間部に、前記タブ部に貯蔵される洗濯水を排水するための排水領域を有することが好ましい。
【００２４】
前記ドロワー空間部に、前記補助洗濯装置を制御するための制御部が備えられることが好ましい。
【００２５】
前記ドロワーボディー部と前記タブ部とは一体的に形成されることが好ましい。
【００２６】
前記タブ部は、前記タブ部の下面を形成し、中央部に貫通口が形成されるリング状の底部と、前記貫通口に対して所定間隔離隔し、前記回転軸が貫通する遊動部と、前記底部と前記遊動部との間をシールすると共に、前記遊動部を遊動可能にする遊動ガスケットとを備えることが好ましい。
【００２７】
前記底部には、前記タブ部に貯蔵される洗濯水を排水するための、前記底部において陥入する排水サンプが備えられることが好ましい。
【００２８】
前記底部は、前記排水サンプ側に傾斜して形成されることが好ましい。
【００２９】
前記排水サンプには、前記タブ部に貯蔵される洗濯水を加熱するためのヒーターが備えられることが好ましい。
【００３０】
前記遊動部の下部に、前記遊動部と結合して前記回転軸を回転可能に支持するベアリングハウジングが備えられることが好ましい。
【００３１】
前記ベアリングハウジングは、前記ドロワーに対して前記回転軸を振動の観点で分離することが好ましい。
【００３２】
前記ベアリングハウジングは、前記ドロワーに保持されて前記回転軸を支持することが好ましい。
【００３３】
前記ベアリングハウジングは、前記ベアリングハウジングの半径方向に延びる３つ以上のブラケット締結部を備え、前記ドロワーボディー部は、前記ブラケット締結部に対応する位置に３つ以上の保持部を備え、前記各ブラケット締結部と前記各保持部との間に、前記ベアリングハウジングを浮遊状態で支持するサスペンションアセンブリが備えられることが好ましい。
【００３４】
前記サスペンションアセンブリは、前記ブラケット締結部に結合されるブラケットと、前記保持部に回動可能に保持される上部及び前記ブラケットに回動可能に保持される下部を有する支持バーとを備えることが好ましい。
【００３５】
前記保持部は、前記ドロワーボディー部の前方に位置する第１保持部と、前記ドロワーボディー部の後方の内部の両側に位置する第２保持部及び第３保持部を備えることが好ましい。
【００３６】
前記ドロワーの両側面に、前記ドロワーの垂直荷重及び垂直振動を制限し、前記キャビネットに対して前記ドロワーの引き込み及び引き出しを案内する側面レールユニットを備えることが好ましい。
【００３７】
前記ドロワーの下面に、前記ドロワーの水平振動を制限し、前記キャビネットに対して前記ドロワーの引き込み及び引き出しを案内する下部レールユニットを更に備えることが好ましい。
【００３８】
前記キャビネットと前記ドロワーとの間に伸縮可能に設けられ、前記タブ部の給水及び排水を行う給排水部を備えることが好ましい。
【００３９】
前記給排水部は、一端が前記キャビネットの後面に回動可能に結合される第１リンクと、一端が前記ドロワーの後面に回動可能に結合され、他端が前記第１リンクに回動可能に結合される第２リンクと、前記第１リンク及び前記第２リンクの内部に挿入されるフレキシブル給排水管とを含むことが好ましい。
【００４０】
前記回転部は、前記タブ部の内側に回転可能に備えられる回転タブであることが好ましい。
【００４１】
前記回転部は、前記タブ部の内側下面に回転可能に備えられるパルセータであることが好ましい。
【００４２】
前記回転部は、前記タブ部に対して振動の観点で分離されて支持されることが好ましい。
【００４３】
上記目的を達成するための本発明の一実施例に係る衣類処理装置は、洗濯物を処理する主洗濯装置と、前記主洗濯装置の一端に位置する補助洗濯装置とを含む衣類処理装置であって、前記補助洗濯装置は、収納空間を形成するフレームと、前記収納空間に収納され、洗濯水が貯蔵される空間を形成するドロワーと、前記ドロワーの内側に位置し、前記ドロワーを貫通する回転軸を備えて洗濯物を処理する回転部と、前記ドロワーの下部に設けられて前記回転部を回転させるモータと、前記ドロワーの前方に位置し、前記補助洗濯装置の前面の外形を形成する前方パネルとを含むことが好ましい。
【００４４】
前記主洗濯装置と前記補助洗濯装置とは、一つの空間を形成し、前記主洗濯装置の設置空間と前記補助洗濯装置の設置空間とを区画する隔壁を含む単一のキャビネットに設置されることが好ましい。
【００４５】
前記主洗濯装置は、外形を形成する第１キャビネットを備え、前記補助洗濯装置は、外形を形成すると共に、前記第１キャビネットを支持する第２キャビネットを備えることが好ましい。
【発明の効果】
【００４６】
本発明に係る補助洗濯装置によれば、主洗濯装置以外の補助洗濯装置を追加的に備えることによって、主処理装置の設置位置を上昇させることができる衣類処理装置を提供できるという効果がある。
【００４７】
また、本発明に係る補助洗濯装置によれば、補助洗濯装置の構造を改善することによって、補助処理装置の洗濯容量を増大させることができるという効果がある。
【００４８】
また、本発明に係る補助洗濯装置によれば、補助洗濯装置の構造を改善することによって、補助洗濯装置の振動及び騒音を改善できるという効果がある。
【００４９】
また、本発明に係る補助洗濯装置によれば、補助洗濯装置の構造を改善することによって、補助洗濯装置の内部空間が狭くても補助洗濯装置の内部構成物を容易に設置できるという効果がある。
【図面の簡単な説明】
【００５０】
【図１】従来技術による衣類処理装置の内部構造を示す断面図である。
【図２】本発明の一実施例に係る衣類処理装置を示す斜視図である。
【図３】本発明の一実施例に係る補助洗濯装置を示す斜視図である。
【図４】本発明の一実施例に係る補助洗濯装置の主要な構成を示す斜視図である。
【図５】本発明の一実施例に係る補助洗濯装置において洗濯部の内部構成物を示す部分断面図である。
【図６】本発明の一実施例に係る補助洗濯装置において洗濯部の構成を示す分解斜視図である。
【図７】本発明の一実施例に係る補助洗濯装置において洗濯部のドロワーを示す底面斜視図である。
【図８】本発明の一実施例に係る補助洗濯装置において洗濯部の収納状態を示す側面図である。
【図９】本発明の一実施例に係る補助洗濯装置においてサスペンション構造を示す断面図である。
【図１０】本発明の一実施例に係る補助洗濯装置においてサスペンション構造を示す底面図である。
【図１１】本発明の一実施例に係る補助洗濯装置の給排水構造を示す背面図である。
【図１２】本発明の一実施例に係る補助洗濯装置の給排水構造を示す側面図である。
【発明を実施するための形態】
【００５１】
本発明の説明において、各構成要素の名称は、本発明における機能を考慮して定められたものである。したがって、これらの名称は、本発明の技術的な構成要素を限定する意味に理解されるべきではない。また、各構成要素は、本発明の属する技術の分野において他の名称で呼ばれることもある。
【００５２】
また、本明細書において言及される衣類及び洗濯物は、服及び衣服だけではなく、履物、靴下、手袋及び帽子等のように人が着用できる対象物を含み、洗濯物は、洗濯を行うことができる全ての対象物を含んでもよい。
【００５３】
以下、添付の図面を参照して、本発明に係る衣類処理装置について詳細に説明する。図２は、本発明の一実施例に係る衣類処理装置を示す斜視図である。
【００５４】
図２に示すように、本発明に係る衣類処理装置１００は、主洗濯装置２００と、主洗濯装置２００の一端又は下部に設けられる補助洗濯装置３００とを備える。ここで、主洗濯装置２００は、主洗濯装置２００の外形を形成する第１キャビネット１１０を備え、補助洗濯装置３００は、補助洗濯装置３００の外形を形成する第２キャビネット３１０を備える。
【００５５】
主洗濯装置２００は、洗濯物を洗濯、すなわち、洗濯、乾燥するために内部に洗濯水を貯蔵する第１タブ（図示せず）及び／又は第１ドラム（図示せず）を備えてもよい。補助洗濯装置３００も、内部に洗濯水を貯蔵するタブ部４２０（図５参照）及び回転タブ４３０（図５参照）を備えてもよい。ここで、補助洗濯装置３００は、主洗濯装置２００に隣接させて設けてもよい。好ましくは、補助洗濯装置３００は、主洗濯装置２００の使用者の便宜のために、主洗濯装置２００の下部に設けてもよい。すなわち、補助洗濯装置３００は、主洗濯装置２００の設置位置を上昇させ、主洗濯装置２００の使用者に利便性を与えることができる。
【００５６】
一方、洗濯物を洗濯する主洗濯装置２００と共に補助洗濯装置３００を設ける場合、主洗濯装置２００と補助洗濯装置３００とは互いに同じ洗濯容量を有するように構成してもよい。しかし、衣類処理装置１００を設置するための空間の制約や、衣類処理装置１００の製造コスト等を考慮して、主洗濯装置２００及び補助洗濯装置３００のうちいずれか一方は、他方に比べてさらに小さい容量を有するように構成してもよい。
【００５７】
本実施例では、図示のように、補助洗濯装置３００は、主洗濯装置２００に比べて洗濯容量、体積、高さのうちの少なくとも１つが小さくなるように構成してもよい。これによって、使用者は、洗濯物の量に応じて適切に主洗濯装置２００及び補助洗濯装置３００のうちの１つを選択して使用することができる。
【００５８】
使用者は、洗濯物の種類に応じて、主洗濯装置２００及び補助洗濯装置３００のうちの１つを選択して洗濯することができる。例えば、ベビー服、下着などのように分別して洗濯する必要がある洗濯物又は少量の洗濯物は補助洗濯装置３００を用いて洗濯し、その他の洗濯物は主洗濯装置２００を用いて洗濯することができる。
【００５９】
補助洗濯装置３００を主洗濯装置２００に比べて更に小さい洗濯容量を有するように構成する場合、補助洗濯装置３００を主洗濯装置２００の下部に設けてもよい。これにより、補助洗濯装置３００を主洗濯装置２００の下部に設けて、主洗濯装置２００の高さを上昇させることで、使用者が主洗濯装置２００に洗濯物を投入し又は主洗濯装置２００から洗濯物を取り出す場合に、より容易に作業できるようになる。
【００６０】
衣類処理装置１００が主洗濯装置２００及び補助洗濯装置３００を備える場合、主洗濯装置２００が設置される第１キャビネット１１０と、補助洗濯装置３００が設置される第２キャビネット３１０とをそれぞれ個別に製造し、それらを結合して設けてもよい。この場合、主洗濯装置２００として、既存のドラム式の洗濯装置又は縦型洗濯装置を選択的に使用してもよい。
【００６１】
または、製造の容易性等を考慮して、主洗濯装置２００が設置される第１キャビネット１１０と、補助洗濯装置３００が設置される第２キャビネット３１０とを１つのキャビネットとして構成して一体的に形成してもよい。すなわち、１つのキャビネットを共有し、キャビネットの内部に主洗濯装置２００及び補助洗濯装置３００を設けてもよい。この場合、主洗濯装置２００と補助洗濯装置３００とを区分するために、それらの間に別個の隔壁（図示せず）を設けてもよい。
【００６２】
以下では、主洗濯装置２００及び補助洗濯装置３００がそれぞれ別個の第１キャビネット１１０及び第２キャビネット３１０によって具現される場合を実施例として説明する。しかし、第１キャビネット１１０と第２キャビネット３１０とが一体的に形成されることを排除するものではない。
【００６３】
上述したような主洗濯装置２００は、選択的に開放されるように設けられたドア１２０を備えてもよい。使用者は、ドア１２０を開放して主洗濯装置２００に洗濯物を投入することができる。主洗濯装置２００として一般的なドラム式洗濯装置又は縦型洗濯装置を使用できるため、主洗濯装置２００の構造についての詳細な説明は省略する。
【００６４】
主洗濯装置２００と補助洗濯装置３００とが１つのキャビネットによって構成される場合、主洗濯装置２００及び補助洗濯装置３００の共通的な構成（例えば、制御部、給水部、排水部等）は、主洗濯装置２００と補助洗濯装置３００とが共用するように構成してもよい。このような共用するための構成は単純な設計変更によるものであるため、詳細な説明は省略する。
【００６５】
補助洗濯装置３００は、後述するように、洗濯のための各種要素を備えてもよい。しかしながら、このような構成要素は、使用者の便宜及び事後の維持補修等のために、外部から接近することが容易な構造で構成してもよい。
【００６６】
例えば、図示のように、補助洗濯装置３００は、スライディング可能なドロワーの形態の洗濯部４００を備えてもよい。洗濯部４００が前方にスライディング可能に備えられることで、使用者は、洗濯部４００を引っ張って容易に補助洗濯装置３００を使用することができる。
【００６７】
以下、添付の図面を参照して、本発明の補助洗濯装置について詳細に説明する。図３は、本発明の一実施例に係る補助洗濯装置を示す斜視図であり、図４は、本発明の一実施例に係る補助洗濯装置の主要な構成を示す斜視図である。
【００６８】
図３及び図４に示すように、本発明に係る補助洗濯装置は、外形を形成する第２キャビネット３１０と、第２キャビネット３１０の内側に備えられ、第２キャビネット３１０の形態を維持すると共に洗濯部４００の収納空間を形成する前方フレーム３１１及び後方フレーム３１２と、第２キャビネット３１０に対して前方に引き出される洗濯部４００とを備える。
【００６９】
洗濯部４００の前方側には、補助洗濯装置３００の前方の外形を形成する前方パネル３２０が備えられ、前方パネル３２０には、洗濯部４００を引き出すための別個の取っ手（図示せず）が備えられてもよい。また、前方パネル３２０の内側の面には、洗濯部４００が第２キャビネット３１０の収納空間に挿入されたときに第２キャビネット３１０に固定されるためのロック装置（図示せず）が更に備えられてもよい。
【００７０】
洗濯部４００は、上述したように、第２キャビネット３１０に形成される引き込み及び引き出しのための開口部を介してスライドすることによって移動することが可能である。そのために、洗濯部４００の両側には、前方フレーム３１１及び後方フレーム３１２に対して洗濯部４００が引き出されるように洗濯部４００をガイドする、一対の側面レールユニット３１３が備えられる。追加的に、洗濯部４００の下部には、下部レールユニット３１５（図１０参照）が備えられてもよい。
【００７１】
上述した側面レールユニット３１３及び下部レールユニット（図示せず）は、前方フレーム３１１及び後方フレーム３１２の間で洗濯部４００の引き込み及び引き出し方向に延びて固定され、別個の締結部材（図示せず）によって前方フレーム３１１及び後方フレーム３１２に固定されてもよい。
【００７２】
側面レールユニット３１３は、洗濯部４００の上下の移動を制限しながら洗濯部４００の引き出し及び引き込みを案内する。そして、洗濯部４００の下面と第２キャビネット３１０との間に備えられる下部レールユニット３１５は、洗濯部４００の左右の移動を制限しながら洗濯部４００の引き込み及び引き出しを案内する。
【００７３】
補助洗濯装置３００の洗濯部４００は、トップローディング方式の衣類処理装置として備えられてもよい。トップローディング方式の補助洗濯装置３００の場合、回転タブ４３０の回転軸４３１が地面に対して垂直に配置される。したがって、回転タブ４３０の回転によってあらゆる水平方向に対する振動が発生する。特に、このような振動は、脱水時に大きくなり、また、洗濯物が回転タブ４３０に偏心して位置する場合にさらに大きくなる。
【００７４】
一対の側面レールユニット３１３によって、洗濯部４００は、前後方向の１自由度の移動のみが可能となる。すなわち、洗濯部４００は、側面レールユニット３１３によって上下の移動は制限され、また、左右の移動も制限される。しかし、側面レールユニット３１３の場合、洗濯部４００の引き出しの容易性のために、洗濯部４００の左右方向に所定距離のゆとりが存在し、所定距離のゆとりによって、回転タブ４３０の振動の発生時に回転タブ４３０の振動がドロワー４１０に伝達されて、洗濯部４００が左右に動きながら振動するようになる。このような振動は、洗濯部４００の耐久性を低下させ、騒音を発生させる。
【００７５】
下部レールユニット３１５を備えることによって、洗濯部４００の左右方向の振動を制限することができる。すなわち、下部レールユニット３１５は、洗濯部４００の引き込み及び引き出しをガイドするだけでなく、洗濯部４００の左右振動を制限する。したがって、衣類処理装置１００の耐久性を高めることができ、騒音を減少させることができる。
【００７６】
本発明の一実施例に係る補助洗濯装置３００は、洗濯部４００を第２キャビネット３１０の外部に完全に引き出すことができる。すなわち、洗濯部４００の内部の補助洗濯装置３００又はその他の部品を修理する場合、洗濯部４００を第２キャビネット３１０から分離して修理できるので、修理が容易である。
【００７７】
以下、本発明の一実施例に係る補助洗濯装置の洗濯部４００について、添付の図面を参照して詳細に説明する。図５は、本発明の一実施例に係る補助洗濯装置における洗濯部の内部構成物を示す部分断面図であり、図６は、本発明の一実施例に係る補助洗濯装置における洗濯部の構成を示す分解斜視図である。
【００７８】
図５及び図６に示すように、洗濯部４００は、洗濯水を貯蔵するタブ部４２０と一体的に形成されるドロワー４１０と、タブ部４２０の内側に回転可能に備えられる回転タブ４３０と、ドロワー４１０の上側に備えられ、ドロワー４１０を遮蔽するドロワーカバー４４０と、回転タブ４３０をドロワー４１０に対して分離して遊動可能に支持するベアリングハウジング４５０と、ベアリングハウジング４５０に設置されて回転タブ４３０を回転させるモータ４５２と、ベアリングハウジング４５０を支持するサスペンションアセンブリ４６０と、ドロワー４１０の移動によって伸縮する給排水部４１３（図１１参照）とを備える。
【００７９】
ドロワー４１０は、第２キャビネット３１０、前方フレーム３１１及び後方フレーム３１２によって形成されるドロワー４１０の収納空間に挿入されるように箱体状に形成されるドロワーボディー部４１１と、洗濯水の貯蔵のためにドロワーボディー部４１１の内側に配置される円筒状のタブ部４２０とを備える。
【００８０】
ドロワーボディー部４１１は、好ましくは、上下部が開放される四角柱状に形成され、タブ部４２０は、タブ部４２０の外周面がドロワーボディー部４１１の内側面に接するように一体的に形成される。一方、ドロワーボディー部４１１の垂直角部と、タブ部４２０の外周面との間にはドロワー空間部４１２が形成される。
【００８１】
ドロワーボディー部４１１の前面及びドロワーボディー部４１１の後方の両側のドロワー空間部４１２には、後述するサスペンションアセンブリ４６０が結合されるための第１保持部４２５ａ，第２保持部４２５ｂ，及び第３保持部４２５ｃが形成される。第１保持部４２５ａは、ドロワーボディーの前方外側に突出して形成され、第２保持部４２５ｂ及び第３保持部４２５ｃは、ドロワーボディー部４１１の後方の両側のドロワー空間部４１２の内側に形成される。前記第１保持部４２５ａ，第２保持部４２５ｂ，及び第３保持部４２５ｃは、それぞれ設置位置が異なるだけで、いずれも、同一の半球溝４２６ａ（図９参照）を有する。第１保持部４２５ａ，第２保持部４２５ｂ，及び第３保持部４２５ｃのそれぞれに形成される各半球溝４２６ａは、半球の形状に形成され、中央部に貫通孔４２７ａが形成される。第１保持部４２５ａ，第２保持部４２５ｂ，及び第３保持部４２５ｃの各半球溝には、後述するサスペンションアセンブリの第１，支持バー４６２ａ，第２支持バー４６２ｂ，及び第３支持バー４６２ｃ（図９参照）がそれぞれ保持される。
【００８２】
ドロワーボディー部４１１の前方の両側のドロワー空間部４１２は、補助洗濯装置３００を構成するためのその他の構成部が設置される空間として用いることができる。例えば、排水部４１３（具体的には、排水ポンプ（図示せず）及び排水フィルター（図示せず）等）及び制御部４１４（具体的には、ＰＣＢ）等が設置されてもよい。
【００８３】
ドロワーボディー部４１１の前方の両側のドロワー空間部４１２は、前方のドロワー空間部４１２に設置される構成部の設置を容易にするために遮蔽されてもよい。または、ドロワー空間部４１２の下部は、その全面又は一部が開放されるように形成されてもよい。ドロワー空間部４１２の下部の全面又は一部が開放される場合、ドロワー空間部４１２は、タブ部４２０から溢れる洗濯水又はドロワー空間部４１２に設置される構成部から漏水する洗濯水を排水するための排水空間として用いられる。
【００８４】
以下、図６及び図７を参照して、タブ部について説明する。図７は、本発明の一実施例に係る補助洗濯装置における洗濯部のドロワーを示す底面斜視図である。
【００８５】
図６及び図７に示すように、タブ部４２０は、ドロワーボディー部４１１と一体的に形成される。好ましくは、ドロワーボディー部４１１とタブ部４２０は射出により一体的に形成されてもよい。タブ部４２０は、ドロワーボディー部４１１の各内側面に円周面が接する垂直方向の円筒状に形成される。タブ部４２０の外周面がドロワーボディー部４１１の各内側面に接するとき、タブ部４２０の容量を最も大きく形成することができる。タブ部４２０の上部は、洗濯物及び洗濯水の投入のために開放される。タブ部４２０の下部には、中央部に貫通口４２２が形成されるリング状の底部４２１が形成される。貫通口４２２には、貫通口４２２の内周面から離隔する外周面を有する遊動部４２３が位置する。貫通口４２２と遊動部４２３との間には、貫通口４２２と遊動部４２３との間をシールすると同時に、貫通口４２２に対して遊動部４２３を遊動可能にする遊動ガスケット４２４が備えられる。遊動部４２３の中央部には、回転タブ４３０の回転軸４３１が挿入される。
【００８６】
タブ部４２０の底部４２１には、タブ部４２０に貯蔵された洗濯水を排水するための排水サンプ４２１ａが備えられる。排水サンプ４２１ａは、底部４２１に対して陥入する箱体状に形成される。また、底部４２１は、洗濯水の排水を容易にするために、排水サンプ４２１ａ側に傾斜して形成されてもよい。
【００８７】
排水サンプ４２１ａの一端には、洗濯水を排水するための排水管（図示せず）が連結される排水口４２１ｂが備えられる。排水サンプ４２１ａの底部は、洗濯水の排水のために、排水口４２１ｂ側に傾斜して形成される。追加的に、排水サンプ４２１ａには、タブ部４２０に貯蔵された洗濯水を加熱するためのヒーター４２１ｃが更に備えられてもよい。
【００８８】
一方、タブ部４２０の底部４２１に形成される貫通口４２２の内周面と遊動部４２３の外周面との間には遊動ガスケット４２４が備えられる。遊動ガスケット４２４は、タブ部４２０に対して遊動部４２３が相対的に移動することができるようにするためのものである。また、遊動ガスケット４２４は、貫通口４２２の内周面と遊動部４２３の外周面との間のシーリングを維持するためのものである。
【００８９】
このような遊動ガスケット４２４は、貫通口４２２の内周面と遊動部４２３の外周面との間を遮蔽できるように、ゴム材質のリング状に形成されることが好ましい。また、遊動部４２３の動きのために、リング状に多数のシワが形成されることが好ましい。
【００９０】
再び図５及び図６を参照すると、回転タブ４３０は、タブ部４２０の内側に回転可能に備えられる。回転タブ４３０は、タブ部４２０と所定の間隔を有する円筒形の箱体状に形成される。回転タブ４３０の円周面には、洗濯物の脱水時に洗濯水を排出するための多数の脱水孔が形成される。回転タブ４３０の内側底面には、洗濯水及び洗濯物の流動を向上させるための突起が形成される。回転タブ４３０の開口側の円周面には、回転タブ４３０の偏心を補償するためのバランサ４３２が備えられる。バランサ４３２は、液体バランサ又はボールバランサであってもよい。回転タブ４３０の下部には回転軸４３１が連結される。回転軸４３１は、タブ部４２０の遊動部４２３を貫通してベアリングハウジング４５０によって支持され、ベアリングハウジング４５０に備えられたモータ４５２によって回転する。
【００９１】
一方、本願発明の実施例では、回転タブ４３０を用いた補助洗濯装置を例示して説明したが、他の例としては、タブ部４２０の下部に、タブ部４２０に貯蔵された洗濯水に回転力を提供するパルセータ（図示せず）を備えるようにしてもよい。
【００９２】
一方、ドロワー４１０の上側には、ドロワーボディー部４１１の各ドロワー４１０を遮蔽するためのドロワーカバー４４０が備えられる。ドロワーカバー４４０の中央部には、回転タブ４３０に洗濯物を投入するための投入孔４４１が形成される。また、投入孔４４１を介して、別途洗濯水を供給することができる。ドロワーカバー４４０の投入孔４４１の円周面の上側には、洗濯部４００が収納される場合に投入孔４４１を塞ぐための多段リブ４４２が形成される。多段リブ４４２は、投入孔の上側に突出する円筒状に形成され、洗濯部４００が挿入される方向が低くなった多段で形成される。
【００９３】
また、第２キャビネット３１０の内側上面には、洗濯部４００が収納されるときに多段リブ４４２に接して投入孔４４１を遮蔽するための多段リッド３１４が備えられる。多段リッド３１４は、洗濯部４００が第２キャビネット３１０に挿入されるにつれて、ドロワー４１０の上部に位置するドロワーカバー４４０の多段リブ４４２と密着してドロワーカバー４４０の投入孔４４１を遮蔽する。そのために、多段リッド３１４は、ドロワー４１０が挿入される方向が低くなった多段で形成される。これによって、洗濯部４００が挿入されるにつれて、多段リブと多段リッドとが密着しながらドロワーカバーの投入孔が遮蔽される。
【００９４】
一方、他の実施例では、ドロワーカバー４４０に形成される多段リブ４４２を、多段ではなく傾斜して形成してもよい。すなわち、多段リブ４４２を、投入孔の上側に突出する円筒状に形成し、ドロワー４１０が挿入される方向に下向きに傾斜して形成してもよい。このような場合、第２キャビネット３１０の内側上面に備えられる多段リッド３１４は、洗濯部の挿入方向に下向きに傾斜して形成される。これによって、洗濯部４００が挿入されるにつれて、多段リブと多段リッドとが密着しながらドロワーカバーの投入孔が遮蔽される。
【００９５】
追加的に、多段リブ４４２との遮蔽性を向上させるために、多段リブ４４２が接する部位に別個のガスケット（図示せず）を更に備えてもよい。
【００９６】
以下、図８を参照して、洗濯部の収納構造を説明する。図８は、本発明の一実施例に係る補助洗濯装置における洗濯部の収納状態を示す側面図である。
【００９７】
図８に示すように、第２キャビネット３１０の前方には、洗濯部４００の収納時に洗濯部４００に加わる衝撃を緩衝するための多数の衝撃防止突起４８１が備えられる。
【００９８】
洗濯部４００のドロワー４１０は、側面レールユニット３１３及び下部レールユニット３１５によって引き出しが案内される。ここで、洗濯部４００が第２キャビネット３１０の内部に引き込まれる場合、ドロワー４１０が挿入の慣性によって第２キャビネット３１０と衝突する現象が発生する。
【００９９】
このような衝突によって、洗濯部４００を構成する各構成部に衝撃が伝達され、洗濯部４００を構成する構成部が損傷し、衝撃による騒音が誘発される恐れがある。
【０１００】
衝撃防止突起４８１は、第２キャビネット３１０の前面部に備えられる。衝撃防止突起４８１は、円形の断面を有する台形状である。また、衝撃防止突起４８１は、衝撃緩衝のために弾性を有する材質で形成されることが好ましく、本発明の一実施例による場合、ゴム材質であってもよい。追加的に、洗濯部４００の前方パネル３２０の内側面には、衝撃防止突起４８１が挿入される挿入溝４８２が形成されてもよい。
【０１０１】
また、洗濯部４００のドロワー４１０の後面と第２キャビネット３１０の後面パネル（図示せず）との間には、収納された洗濯部の引き出しを防止するロック装置４８３が備えられる。洗濯部４００を第２キャビネット３１０の内部に引き込ませて保管する場合、洗濯部４００は、前方パネル３２０に備えられたロック装置の結合のみで十分に固定可能である。しかしながら、洗濯部４００によって洗濯物を処理する場合、回転タブ４３０が回転するのに伴って振動が発生する。このような振動は、前方パネル３２０に備えられるロック装置のみでは十分に制御できず、衣類処理装置全体の振動を誘発することがある。したがって、洗濯部の作動中に洗濯部の固定状態を維持するためのロック装置４８３が備えられる。
【０１０２】
ロック装置４８３は、ドロワー４１０の後面の下部に設置され、第２キャビネット３１０の内側の後面の下部には、ロック装置４８３が係止される係止突起４８４が備えられる。ここで、ロック装置４８３は、別個の電源によって係止突起４８４に強制的に固定され得るように、別個の駆動装置によって制御される。
【０１０３】
再び図５及び図６を参照すると、タブ部４２０の遊動部４２３の下部には、遊動部４２３を貫通する回転タブ４３０の回転軸を回転可能に支持するベアリングハウジング４５０が備えられる。ベアリングハウジング４５０は、中央部に回転軸４３１が貫通する貫通孔が形成され、貫通孔には、回転軸を支持する多数のベアリングが備えられる。一方、ベアリングハウジング４５０の外周面には、ドロワー４１０に形成される第１保持部４２５ａ，第２保持部４２５ｂ，及び第３保持部４２５ｃの方向に延びる第１ブラケット締結部４５１ａ，第２ブラケット締結部４５１ｂ，及び第３ブラケット締結部４５１ｃが形成される。ここで、第１ブラケット締結部４５１ａは、ドロワーの第１保持部４２５ａが形成されるドロワー４１０の前方に延び、第２ブラケット締結部４５１ｂ及び第３ブラケット締結部４５１ｃは、ドロワー４１０の後方のドロワー空間部４１２に形成された第２保持部４２５ｂ及び第３保持部４２５ｃの方向に延びる。一方、ベアリングハウジング４５０の下部には、回転軸に結合されて回転軸を回転させるモータ４５２が備えられる。
【０１０４】
ドロワーに形成される第１保持部，第２保持部，及び第３保持部と、ベアリングハウジングに形成される第１ブラケット締結部、第２ブラケット締結部、及び第３ブラケット締結部との間には、サスペンションアセンブリが備えられる。サスペンションアセンブリは、ベアリングハウジング及びベアリングハウジングに連結される各構成をドロワーに対して浮遊する状態で支持する。
【０１０５】
以下、図９及び図１０を参照して、サスペンションアセンブリ４６０を説明する。図９は、本発明の一実施例に係る補助洗濯装置におけるサスペンション構造を示す断面図であり、図１０は、本発明の一実施例に係る補助洗濯装置におけるサスペンション構造を示す底面図である。
【０１０６】
一方、従来の衣類処理装置では、ドラム及びタブを支持し、ドラムの回転による振動を低減できるように、シリンダー及びピストン、又はスプリング及びダンパーのような懸架装置を備える。このような従来の懸架装置は、ドラム及びタブの重量に応じて伸縮してドラム及びタブを支持するので、ドラム及びタブが所定距離以上に下降又は上昇するようになる。
【０１０７】
したがって、上述したように、本発明の実施例に係る補助洗濯装置３００のように、第２キャビネット３１０の内部空間が狭い場合は、従来の懸架装置は設置及び駆動に制約が生じる。以下では、上述の実施例に基づいた、第２洗濯装置３００と共に用いられるサスペンションアセンブリ４６０について説明する。サスペンションアセンブリ４６０は、ドロワー４１０（具体的には、タブ部）及び振動伝達の面とは独立して洗濯部４００に設けられる。サスペンションアセンブリ４６０は、回転タブ４３０を回転可能に支持するベアリングハウジング４５０を支持し、回転タブ４３０の回転による振動を減衰するように機能する。
【０１０８】
一方、本発明に係る回転タブ４３０、遊動部４２３、ベアリングハウジング４５０は、実質的にドロワー４１０（具体的には、ドロワー４１０のタブ部４２０）とは分離される構造を有し、タブ部４２０は、遊動部４２３及び遊動ガスケット４２４によって洗濯水の貯蔵空間を形成するように構成されている。すなわち、上述したベアリングハウジング４５０、ベアリングハウジング４５０によって支持される遊動部４２３及び回転タブ４３０は、サスペンションアセンブリ４６０によってドロワー４１０に対して浮遊する状態で支持される。
【０１０９】
一方、本発明に係る第２洗濯装置３００のサスペンションアセンブリ４６０は、図９及び図１０に示したように、ベアリングハウジング４５０の第１ブラケット締結部４５１ａ，第２ブラケット締結部４５１ｂ，及び第３ブラケット締結部４５１ｃにそれぞれ締結される第１ブラケット４６１ａ，第２ブラケット４６１ｂ，及び第３ブラケット４６１ｃ、並びに、第１ブラケット４６１ａ，第２ブラケット４６１ｂ，及び第３ブラケット４６１ｃと第１保持部４２５ａ，第２保持部４２５ｂ，及び第３保持部４２５ｃとを互いに連結する第１支持バー４６２ａ，第２支持バー４６２ｂ，及び第３支持バー４６２ｃを備える。
【０１１０】
上述したような第１ブラケット４６１ａ，第２ブラケット４６１ｂ，及び第３ブラケット４６１ｃと第１保持部４２５ａ，第２保持部４２５ｂ，及び第３保持部４２５ｃとは、それぞれ設置位置が異なるだけで、同じ構造で形成される。
【０１１１】
したがって、第１ブラケット４６１ａ、第１保持部４２５ａ、及び第１ブラケット４６１ａと第１保持部４２５ａとの間に備えられる第１支持バーの構成を代表して説明する。
【０１１２】
以下、図９を参照して、本発明の一実施例に係る支持バーを詳細に説明する。図９は、本発明の一実施例に係る第１支持バーの構成を示す断面図である。
【０１１３】
図９に示すように、第１保持部４２５ａの上側には、中央部に貫通孔４２７ａが形成される半球溝４２６ａが形成される。第１ブラケット４６１ａの下側には、中央部に貫通孔４６７ａが形成される半球溝４６６ａが形成される。
【０１１４】
また、第１支持バー４６２ａは、所定の長さを有する支持ボディー４６３ａと、支持ボディー４６３ａの上部に固定され、第１保持部４２５ａの半球溝４２６ａに保持される上部支持半球４６４ａと、支持ボディー４６３ａの下部に固定され、第１ブラケット４６１ａの半球溝４６６ａに保持される下部支持半球４６５ａとを備える。
【０１１５】
すなわち、第１ブラケット４６１ａは、第１支持バー４６２ａによってドロワーボディー部４１１の第１保持部４２５ａにぶら下がった形態で形成される。したがって、回転タブ４３０の振動によって、回転タブ４３０を支持する遊動部４２３及びベアリングハウジング４５０の振動が第１支持バー４６２ａによって円錐運動をする形態で振動が発生するようになる。
【０１１６】
ここで、第１保持部４２５ａの半球溝４２６ａと第１支持バー４６２ａの上部支持半球４６４ａとの間には摩擦力が発生し、また、第１支持バー４６２ａの下部支持半球４６５ａと第１ブラケット４６１ａの半球溝４６６ａとの間でも摩擦力が発生しながら、回転タブ４３０の振動によって、回転タブ４３０を支持する遊動部４２３及びベアリングハウジング４５０の振動が緩衝される。
【０１１７】
また、他には、ベアリングハウジング４５０の上方向への移動を制限するために、第１支持バー４６２ａに設けられ、第１保持部４２５ａと第１ブラケット４６１ａとの間に引張力を作用させる別個の引張ばね（図示せず）をさらに備えてもよい。
【０１１８】
ここで、第１支持バー４６２ａに別個の引張ばねが備えられる場合、引張ばねの引張力によって、第１支持バー４６２ａと、第１ブラケット４６１ａの半球溝４６６ａ及び第１保持部４２５ａの半球溝４２６ａとの摩擦力が増加して、ベアリングハウジング４５０の下方移動及び／又は水平方向移動を付加的に制限することができる。
【０１１９】
追加的に、上部支持半球４６４ａ及び下部支持半球４６５ａの表面、第１保持部４２５ａの半球溝４２６ａの表面、及び第１ブラケット４６１ａの半球溝４６６ａの表面には、それぞれ、摩擦力を向上させると共に緩衝力を提供するために、所定の摩擦力を提供するための摩擦部材（図示せず）が設けられてもよい。
【０１２０】
また、サスペンションアセンブリ４６０の第１支持バー４６２ａは、回転タブ４３０とドロワー４１０のタブ部４２０との間の距離を所定範囲内に維持することができる。
【０１２１】
すなわち、第１支持バー４６２ａは、回転タブ４３０とタブ部４２０とが所定範囲の距離を超えて互いに離隔すること又は所定範囲の距離を超えて互いに近づくことを防止することができる。
【０１２２】
また、本実施例に係るサスペンションアセンブリ４６０は、回転タブ４３０の移動を制限して、回転タブ４３０の回転によって発生する水平方向の振動及び／又は垂直方向の振動を減衰することができる。
【０１２３】
一方、回転タブ４３０の回転によって、回転タブ４３０及びベアリングハウジング４５０は様々な方向に振動することができる。例えば、垂直方向に沿って振動するか、又は水平方向に沿って振動することができる。また、垂直方向に沿って振動する場合にも、直線に沿って振動するか、又は曲線に沿って振動することができ、これは、水平方向に沿って振動する場合も同様である。
【０１２４】
また、回転タブ４３０が回転する場合に、回転タブ４３０がいずれか一方向にのみ振動することは少なく、多くの場合、複合的な方向成分を持って振動が発生する。例えば、垂直方向に振動しながら、水平方向にも曲線に沿って振動することがある。
【０１２５】
一方、第１支持バー４６２ａが、ベアリングハウジング４５０の下方移動及び水平方向移動を制限する場合、同時にベアリングハウジング４５０の上方移動を制限することができる。ただし、第１支持バー４６２ａは、ベアリングハウジング４５０の下方移動及び水平方向移動を主に制限することができ、ベアリングハウジング４５０の上方移動は、ベアリングハウジング４５０、ベアリングハウジング４５０に付属する遊動部４２３及び回転タブ４３０の自重によって付随的に制限することができる。
【０１２６】
一方、ドロワー４１０を用いて補助洗濯装置３００を引き込む場合又は引き出す場合、いくつかの問題がある。補助洗濯装置３００には、ドロワータブ部４２０に洗濯水を供給する給水管及び洗濯水を排水する排水管が必ず備えられる。
【０１２７】
一方、補助洗濯装置３００の洗濯部４００を引き出すと、補助洗濯装置３００のドロワーボディー部４１１及びタブ部４２０も共に引き出される。このとき、タブ部４２０に連結された給水管及び排水管も延伸しなければならない。したがって、洗濯部４００の引き出し及び引き込みに応じて給水管及び排水管を延伸及び短縮させる構成が必要である。
【０１２８】
給水管及び排水管を効果的に配置しなければ、ドロワー４１０を引き込むとき、給水管及び排水管がドロワー４１０の後面に掛かる問題が発生する。また、給水管及び排水管がドロワーに掛かって裂けたり破損したりする恐れがある。したがって、本発明に係る衣類処理装置１００は、ドロワー４１０の後方に伸縮可能に設けられる給排水部４７０を備える。
【０１２９】
以下、添付の図面を参照して、本発明に係る給排水装置について詳細に説明する。図１１は、本発明の一実施例に係る補助洗濯装置の給排水構造を示す背面図であり、図１２は、本発明の一実施例に係る補助洗濯装置の給排水構造を示す側面図である。
【０１３０】
図１１及び図１２を参照すると、給排水部４７０は、第１リンク４７２と、第１リンク４７２の下部に配置される第２リンク４７３とを含み、第１リンク４７２と第２リンク４７３とは回動可能にヒンジ結合される。一方、第２リンク４７３の上に第１リンク４７２が備えられることが好ましい。
【０１３１】
なお、第１リンク４７２及び第２リンク４７３の長軸は、第２キャビネット３１０の幅方向と平行に配置されることが好ましい。すなわち、ドロワー４１０が内部に備えられる第２キャビネット３１０は、構造的に、高さに比べて幅が長い。したがって、第１リンク４７２及び第２リンク４７３の長軸が第２キャビネット３１０の幅方向と平行に配置され、第１リンク４７２及び第２リンク４７３が上下に配置されることで、空間を活用する面でより大きな利点が生じる。
【０１３２】
第１リンク４７２及び第２リンク４７３は対称的な形状及び構成を有している。したがって、以下では、第２リンク４７３と関連する構成のうち、第１リンク４７２と同じ構成については説明を省略する。
【０１３３】
第１リンク４７２は、両側面が開口しており、内部に空間が形成される。第１リンク４７２の開口した両側面には、フレキシブル給水管４７４及びフレキシブル排水管４７５が挿入され、設置される。すなわち、内部空間には、補助洗濯装置３００のフレキシブル給水管４７４及びフレキシブル排水管４７５が備えられる。
【０１３４】
一方、第１リンク４７２の一端は、第２キャビネット３１０の後面パネル（図示せず）に結合される。なお、第１リンク４７２は、第２キャビネット３１０の後面パネルに回動可能に結合される。より具体的に、第１リンク４７２の一端は、第１ブラケット４６１ａとヒンジ結合され、第１ブラケット４６１ａは後面パネルに固定されて結合される。
【０１３５】
第２リンク４７３は、第１リンク４７２の下部に結合される。第２リンク４７３は、第１リンク４７２とその形状及び構成が同一である。ただし、第２リンク４７３の一端は、ドロワー４１０のハウジングの後面にヒンジ結合される。
【０１３６】
一方、第１リンク４７２の下部には第１連結部４７２ａが形成され、第２リンク４７３の上部には第２連結部４７３ａが形成される。第１連結部４７２ａ及び第２連結部４７３ａは、第１リンク４７２及び第２リンク４７３とそれぞれ一体的に形成されてもよい。
【０１３７】
第２キャビネット３１０の後方の上部には給水口４７１ａが備えられる。給水口４７１ａは、フレキシブル給水管４７４に連通する。フレキシブル給水管４７４は、第１リンク４７２及び第２リンク４７３の内部に挿入される。フレキシブル給水管４７４は、全体的にＵ字状に配置されることが好ましい。すなわち、フレキシブル給水管４７４は、第１リンク４７２の一端に挿入され、他側に排出され得る。なお、第１リンク４７２の他側に排出されたフレキシブル給水管４７４は、第２リンク４７３の一端に挿入され、他側に排出され得る。また、第２リンク４７３の他側に排出されたフレキシブル給水管４７４は、第２キャビネット３１０の後面を通過して補助洗濯装置３００と連結され得る。
【０１３８】
フレキシブル排水管４７５もフレキシブル給水管４７４と同一に設置される。すなわち、フレキシブル排水管４７５は、第１リンク４７２及び第２リンク４７３の内部にＵ字状に配置されることが好ましい。フレキシブル排水管４７５の端部は、第２キャビネット３１０の後方に排出される。すなわち、洗濯水が外部に排出されるフレキシブル排水管４７５の排水部は、第２キャビネット３１０の外部に位置するようになる。
【０１３９】
フレキシブル給水管４７４及びフレキシブル排水管４７５は、給排水部４７０の第１リンク４７２及び第２リンク４７３の回動に応じて曲がり得る柔軟な材質であることが好ましい。
【０１４０】
一方、図示していないが、第１リンク４７２及び第２リンク４７３は制御ライン（図示せず）を案内することができる。制御ラインは、電力ライン又は制御ラインを含む。
【０１４１】
一方、図１１に示すように、ドロワー４１０が完全に引き込まれた状態では、第１リンク４７２及び第２リンク４７３は折り畳まれて、同じ垂直平面に配置される。すなわち、第１リンク４７２及び第２リンク４７３は、第２キャビネット３１０の後面と平行に配置される。なお、第１リンク４７２と第２リンク４７３とがヒンジ結合される地点の近傍で、フレキシブル給水管４７４及びフレキシブル排水管４７５はＵ字状に曲がっている。すなわち、第１リンク４７２の一端に排出されたフレキシブル給水管４７４及びフレキシブル排水管４７５は、緩やかに曲がって第２リンク４７３の一端に挿入される。
【０１４２】
図１２に示すように、ドロワー４１０が引き出されると、ドロワー４１０に結合された第１リンク４７２及び第２リンク４７３は同じ垂直平面に位置しない。すなわち、第１リンク４７２は、第２キャビネット３１０の後面パネルに結合された地点を基準として回動し、第２リンク４７３は、第２キャビネット３１０に結合された地点を基準として回動する。一方、第２リンク４７３は、第２キャビネット３１０と結合された地点及び第１リンク４７２が結合された地点の両方を基準として回動する。一方、第１リンク４７２は、後面パネルに結合された地点のみを基準として回動する。
【０１４３】
ドロワー４１０が完全に引き出された状態では、第１リンク４７２と第２リンク４７３とが再び同じ垂直平面に位置する。しかしながら、第２リンク４７３は、第１リンク４７２の真下に位置せずに、第１リンク４７２の対角に位置する。より好ましくは、ドロワー４１０が完全に引き出された状態で、第１リンク４７２と第２リンク４７３とが完全に同一の垂直平面には位置せずに、所定の角度を維持することが好ましい。すなわち、ドロワー４１０が完全に引き出された状態で、第１リンク４７２と第２リンク４７３とが同じ垂直平面に位置すると、ドロワー４１０を再び引き込む時に第１リンク４７２と第２リンク４７３とが相対的に回動しないことがある。すなわち、第１リンク４７２と第２リンク４７３とが同じ垂直平面に位置すると、第１リンク４７２及び第２リンク４７３を回転させるためのモーメントが形成されない。したがって、ドロワー４１０を完全に引き出した時に第１リンク４７２と第２リンク４７３とが所定の角度を維持すれば、ドロワー４１０を引き込む時に第１リンク４７２及び第２リンク４７３の回転が容易になる。
【０１４４】
これによって、本発明は、一対のリンクからなるヒンジアセンブリを用いて、補助洗濯装置の給水管及び排水管を効果的に配置することができる。したがって、ドロワーを引き込むとき又は引き出すとき、給水管及び排水管が捩れたり破損したりすることを防止することができる。
【０１４５】
以上、本発明の好ましい実施例について詳細に記述したが、本発明の属する技術分野における通常の知識を有する者であれば、添付の特許請求の範囲に記載された本発明の精神及び範囲を逸脱しない範囲で、本発明を多様に変形して実施できるであろう。したがって、本発明は、この発明の改良及び変形が添付の特許請求の範囲及びその均等物の範囲内にある限り、それらの改良及び変形を含むことが意図されている。
【０１４６】
上述したように、本発明は補助洗濯装置及びこれを用いた衣類処理装置に全体的又は部分的に応用することができる。
【図１】
2016508063.tif 000003
【図２】
2016508063.tif 000004
【図３】
2016508063.tif 000005
【図４】
2016508063.tif 000006
【図５】
2016508063.tif 000007
【図６】
2016508063.tif 000008
【図７】
2016508063.tif 000009
【図８】
2016508063.tif 000010
【図９】
2016508063.tif 000011
【図１０】
2016508063.tif 000012
【図１１】
2016508063.tif 000013
【図１２】
2016508063.tif 000014
【国際調査報告】
2016508063.tif 000015
2016508063.tif 000016